(57)【特許請求の範囲】
【請求項１】
一対の基板間に並設された複数のペルチェ素子が前記基板の各対向面に形成された電極によって直列接続されると共に当該複数のペルチェ素子に直流電圧を供給するための一対の端子部を有するペルチェモジュールを芯線と絶縁被覆とで構成された配線材で複数直列接続して構成されたペルチェモジュールユニットであって、
基台、および当該基台に各端部を外部に露出させた状態で取り付けられた複数の接続体を有する端子台を備え、
前記ペルチェモジュール同士を接続する前記配線材は、当該ペルチェモジュール同士のうちの一方の前記ペルチェモジュールにおける前記一対の端子部のうちの一方の端子部に接続された第１の配線材と、他方の前記ペルチェモジュールにおける前記一対の端子部のうちの他方の端子部に接続された第２の配線材とで構成され、
前記第１の配線材および前記第２の配線材は、その一端部同士が１つの前記接続体の各端部に接続解除自在に接続されているペルチェモジュールユニット。
【請求項２】
請求項１記載のペルチェモジュールユニットを複数備えて構成された加熱冷却部と、当該加熱冷却部に直流電圧を供給する電源部とを備えた熱交換器。
【請求項３】
一対の基板間に並設された複数のペルチェ素子が前記基板の各対向面に形成された電極によって直列接続されたペルチェモジュールを複数備えた熱交換器であって、
前記複数のペルチェモジュールは、所定数の当該ペルチェモジュールで構成される複数のペルチェモジュールユニットに分割され、
前記ペルチェモジュールユニットに含まれている前記複数のペルチェ素子の少なくとも１つが断線したときの当該ユニットにおける直流電圧供給端子間の電圧上昇を検出して検出信号を出力する検出回路が前記各ペルチェモジュールユニット毎に設けられている熱交換器。
【発明の詳細な説明】
【０００１】
【発明の属する技術分野】
本発明は、複数のペルチェ素子を備えて構成されるペルチェモジュールユニット、および熱交換器に関するものである。
【０００２】
【従来の技術】
この種のペルチェモジュールユニットに使用されるペルチェモジュールとして、図４に示すペルチェモジュール２１が従来から知られている。このペルチェモジュール２１は、一対の基板２２，２３、複数のペルチェ素子２４，２４，・・・、複数の金属電極２５，２５，・・・、および一対の端子部２６，２７を備えている。この場合、基板２２，２３は、少なくとも表面が電気的に絶縁処理されて構成され、その外形は、例えば一辺が４０ミリメートルの正方形で厚みが０．８ミリメートルに形成されている。具体的には、基板２２，２３は、アルミナまたは窒化アルミのような電気的絶縁性を備えた単一材基板や、セラミック基板などで構成されている。また、基板２２，２３は、アルミニウムの表面にアルマイト処理を行ったり、アルミニウムの表面にアルミナまたは酸化ケイ素層を形成したり、さらには銅の表面に薄い接着絶縁層を形成したりすることによって複合材で構成することもできる。各ペルチェ素子２４は、図５に示すように、その外形がそれぞれ柱状に形成されたＰ型ペルチェ素子２４ａとＮ型ペルチェ素子２４ｂとで構成され、Ｐ型ペルチェ素子２４ａとＮ型ペルチェ素子２４ｂとが交互に位置するように基板２２，２３間に並設されている。各金属電極２５は、導電性金属材料を用いて基板２２，２３の対向面に形成され、隣接する異極性のペルチェ素子２４，２４同士をπ型に接続する。これにより、各ペルチェ素子２４は、金属電極２５によって直列接続される。端子部２６，２７は、基板２３（若しくは基板２２、または基板２２，２３のそれぞれ）の対向面に固定されると共に、直列接続された複数のペルチェ素子２４，２４，・・・のうちの両端部に位置する一対のペルチェ素子２４，２４にそれぞれ電気的に接続されている。なお、この端子部２６，２７は、複数のペルチェ素子２４，２４，・・・に直流電圧を供給するために使用される。
【０００３】
このペルチェモジュール２１では、端子部２６，２７に電源部から直流定電流を供給することにより、一端側のＮ型ペルチェ素子２４ｂから他端側のＰ型ペルチェ素子２４ａ（または他端側のＰ型ペルチェ素子２４ａから一端側のＮ型ペルチェ素子２４ｂ）に向けて電流を流した際に、ペルチェ効果により、一方の基板（例えば基板２２）の表面で吸熱すると共に他方の基板（例えば基板２３）の表面から放熱する。
【０００４】
また、ペルチェモジュール２１は、単体で使用されることもあるが、一般的には、大きな熱電変換量を確保する際には数多くのペルチェモジュール２１，２１・・を接続して使用する。この場合、各ペルチェモジュール２１を並列接続して使用する構成を採用することも可能ではある。しかし、この構成を採用した場合、各ペルチェモジュール２１の端子部２６，２７に配線（引き出し線）をそれぞれ接続しなければならず、電源部との間の配線数が極めて多くなるという問題点がある。したがって、複数のペルチェモジュール２１と電源部ＰＳとを使用して熱交換器７１を構成する場合、通常は、図６に示すように、すべてのペルチェモジュール２１，２１・・・の各端子部２６，２７同士を配線材７２を用いて直列接続してペルチェモジュールユニット７３としてユニット化する。また、このペルチェモジュールユニット７３の一対の端子部７４，７５（具体的には、両端部に位置する各ペルチェモジュール２１における未接続の各端子部２６（または２７））と電源部ＰＳとの間を配線材２で接続する。これにより、電源部ＰＳとの間の配線数が２本で済み、配線数の削減と配線作業時間の削減とが実現される。この場合、このユニット化に際しては、ペルチェ素子２４を湿気から保護するために、基板２２と基板２３との間に樹脂を充填して封止する処置が、すべてのペルチェモジュール２１に対して一般的に行われる。これにより、湿気に起因するペルチェ素子２４の故障を防止することができるため、ペルチェモジュール２１の故障率の低減を図ることが可能となる。
【０００５】
【発明が解決しようとする課題】
ところが、従来のペルチェモジュールユニット７３には、以下の問題点がある。すなわち、複数のペルチェモジュール２１を図６に示すように直列接続して使用する場合、複数のペルチェモジュール２１のうちの少なくとも１つにおける少なくとも１つのペルチェ素子２４に何らかの原因で断線故障が生じたときに、他のすべての正常なペルチェモジュール２１に直流電圧が供給されなくなり、熱交換動作が停止する。したがって、熱交換動作を再開させるためには、断線故障したペルチェ素子２４を含むペルチェモジュール２１を特定して良品と交換する必要がある。この場合、特定作業では、例えばテスターを使用して、各ペルチェモジュール２１毎の抵抗値を測定すると共に測定した抵抗値と良品のペルチェモジュール２１の抵抗値（基準抵抗値）とを比較する。この際に、断線故障が生じたペルチェ素子２４を含むペルチェモジュール２１では、測定した抵抗値が基準抵抗値を大きく超えるため、不良のペルチェモジュール２１を特定することができる。しかしながら、各ペルチェモジュール２１，２１同士は配線材７２を用いて直接接続されている。このため、ペルチェモジュール２１毎の抵抗値を測定する際に、配線材７２を切断し、かつその切断部分における絶縁被覆を剥いてテスターを接触可能な状態にする作業が必須となり、特定作業に時間と手間がかかるという問題点がある。さらに、湿気対策のために使用した封止樹脂が配線材７２やペルチェモジュール２１の各端子部２６，２７を覆っていることもあり、このような場合には、封止樹脂の除去作業も必要となり、特定作業にさらに時間と手間がかかるという問題点もある。
【０００６】
本発明は、かかる問題点に鑑みてなされたものであり、複数のペルチェモジュールを直列接続して使用する場合において、断線状態となったペルチェモジュールを迅速かつ簡単に特定し得るペルチェモジュールユニットを提供することを主目的とする。また、断線状態となったペルチェモジュールを含むペルチェモジュールユニットを迅速かつ簡単に特定し得る熱交換器を提供することを他の目的とする。
【０００７】
【課題を解決するための手段】
上記目的を達成すべく本発明に係るペルチェモジュールユニットは、一対の基板間に並設された複数のペルチェ素子が前記基板の各対向面に形成された電極によって直列接続されると共に当該複数のペルチェ素子に直流電圧を供給するための一対の端子部を有するペルチェモジュールを芯線と絶縁被覆とで構成された配線材で複数直列接続して構成されたペルチェモジュールユニットであって、基台、および当該基台に各端部を外部に露出させた状態で取り付けられた複数の接続体を有する端子台を備え、前記ペルチェモジュール同士を接続する前記配線材は、当該ペルチェモジュール同士のうちの一方の前記ペルチェモジュールにおける前記一対の端子部のうちの一方の端子部に接続された第１の配線材と、他方の前記ペルチェモジュールにおける前記一対の端子部のうちの他方の端子部に接続された第２の配線材とで構成され、前記第１の配線材および前記第２の配線材は、その一端部同士が１つの前記接続体の各端部に接続解除自在に接続されている。
【０００８】
また、本発明に係る熱交換器は、上記のペルチェモジュールユニットを複数備えて構成された加熱冷却部と、当該加熱冷却部に直流電圧を供給する電源部とを備えている。
【０００９】
さらに、本発明に係る熱交換器は、一対の基板間に並設された複数のペルチェ素子が前記基板の各対向面に形成された電極によって直列接続されたペルチェモジュールを複数備えた熱交換器であって、前記複数のペルチェモジュールは、所定数の当該ペルチェモジュールで構成される複数のペルチェモジュールユニットに分割され、前記ペルチェモジュールユニットに含まれている前記複数のペルチェ素子の少なくとも１つが断線したときの当該ユニットにおける直流電圧供給端子間の電圧上昇を検出して検出信号を出力する検出回路が前記各ペルチェモジュールユニット毎に設けられている。
【００１０】
【発明の実施の形態】
以下、添付図面を参照して、本発明に係るペルチェモジュールユニットおよび熱交換器の好適な発明の実施の形態について説明する。なお、従来のペルチェモジュールユニット７３と同一の構成要素については、同一の符号を付して重複する説明を省略する。
【００１１】
最初に、ペルチェモジュールユニット１の構成について、図１，２，４を参照して説明する。
【００１２】
図１に示すように、ペルチェモジュールユニット１は、複数（一例として８個）のペルチェモジュール２１ａ，２１ｂ，・・・，２１ｈ（以下、特に区別しないときには「ペルチェモジュール２１」ともいう）、および接続機構としての端子台３１を備えている。この場合、各ペルチェモジュール２１は、図４に示すように、一対の基板２２，２３、複数のペルチェ素子２４，２４，・・・、複数の金属電極２５，２５，・・・、および一対の端子部２６，２７を備えている。また、各ペルチェモジュール２１の各端子部２６，２７には、先端に圧着端子４１（図２参照）が取り付けられた配線材４２がそれぞれ電気的に接続されている。端子台３１は、図２に示すように、一例としてネジ締め形端子台であり、基台３３および複数の接続体３４ａ，３４ｂ，・・・，３４ｈ，３４ｉ（以下、区別しないときには、「接続体３４」ともいい、同図中において、上から下にかけて順に３４ａ〜３４ｉとする）を備えている。この場合、基台３３は、電気的絶縁性を有する樹脂を用いて成形されると共に、上面に複数（一例として１８個）の配線材用取付凹部３２が９個ずつ２列に分けて直線的に並んで形成されている。接続体３４は、２列に形成された取付凹部３２のうちの対向する取付凹部３２，３２同士間に掛け渡された状態で基台３３に取り付けられている。各接続体３４は、導電性金属材料を用いて板状に形成されると共に、その各端部が取付凹部３２内の底面に位置して外部に露出した状態で基台３３内に埋設されている。また、接続体３４ａ，３４ｂ，・・・，３４ｈ，３４ｉの各端部（Ａ１，Ａ２，Ｂ１，Ｂ２，・・・，Ｈ１，Ｈ２，Ｉ１，Ｉ２）には、雌ねじ孔３５が形成され、配線材４２の先端に取り付けられた圧着端子４１を締付けネジ３６を用いて各接続体３４の端部にネジ止め可能に構成されている。
【００１３】
各ペルチェモジュール２１は、各端子部２６，２７に接続された配線材４２が端子台３１に接続されることにより、互いに直列に接続される。具体的には、１つのペルチェモジュール２１における一方の端子部２６（２７）に接続された第１の配線材としての配線材４２と、他の１つのペルチェモジュール２１における他方の端子部２７（２６）に接続された第２の配線材としての配線材４２とが、端子台３１に設けられた１つの接続体３４の各端部にそれぞれの圧着端子４１がネジ止めされて互いに電気的に接続されることにより、すべてのペルチェモジュール２１が直列接続される。
【００１４】
一例として、図１，２に示すように、ペルチェモジュール２１ａは、その端子部２６が配線材４２を介して端子台３１の接続体３４ａにおける一端Ａ１に、またその端子部２７が配線材４２を介して端子台３１の接続体３４ｃにおける一端Ｃ１にそれぞれ接続されている。同様にして、ペルチェモジュール２１ｂは、その端子部２６が接続体３４ｃの他端Ｃ２に、またその端子部２７が接続体３４ｄの他端Ｄ２にそれぞれ接続されている。また、ペルチェモジュール２１ｃは、その端子部２６が接続体３４ｄの一端Ｄ１に、またその端子部２７が接続体３４ｅの一端Ｅ１にそれぞれ接続されている。また、ペルチェモジュール２１ｄは、その端子部２６が接続体３４ｅの他端Ｅ２に、またその端子部２７が接続体３４ｆの他端Ｆ２にそれぞれ接続されている。また、ペルチェモジュール２１ｅは、その端子部２６が接続体３４ｆの一端Ｆ１に、またその端子部２７が接続体３４ｇの一端Ｇ１にそれぞれ接続されている。また、ペルチェモジュール２１ｆは、その端子部２６が接続体３４ｇの他端Ｇ２に、またその端子部２７が接続体３４ｈの他端Ｈ２にそれぞれ接続されている。また、ペルチェモジュール２１ｇは、その端子部２６が接続体３４ｈの一端Ｈ１に、またその端子部２７が接続体３４ｉの一端Ｉ１にそれぞれ接続されている。また、ペルチェモジュール２１ｈは、その端子部２６が接続体３４ｉの他端Ｉ２に、またその端子部２７が接続体３４ｂの一端Ｂ１にそれぞれ接続されている。以上の構成により、すべてのペルチェモジュール２１は、それぞれの各端子部２６，２７に接続された配線材４２、および端子台３１の各接続体３４によって直列接続される。
【００１５】
上記構成のペルチェモジュールユニット１は、図１に示すように、接続体３４ａの他端Ａ２が電源部ＰＳのプラス端子に、また接続体３４ｂの他端Ｂ２が電源部ＰＳのマイナス端子にそれぞれ配線材２を介して接続されることにより、電源部ＰＳと共に熱交換器５１を構成する。この場合、熱交換器５１は、加熱冷却部としてのペルチェモジュールユニット１に含まれる各ペルチェモジュール２１に電源部ＰＳから直流定電流が供給されることにより、各ペルチェモジュール２１がペルチェ効果に基づいて熱電変換を実行し、図示しない被加熱体または被冷却体に対して熱交換（加熱または冷却）する。
【００１６】
このように、このペルチェモジュールユニット１では、１つのペルチェモジュール２１における一方の端子部２７に接続された配線材４２と、他の１つのペルチェモジュール２１における他方の端子部２６に接続された第２の配線材としての配線材４２とを、各配線材４２の先端に取り付けられた圧着端子４１を端子台３１の同じ接続体３４における各端部にネジ止めすることにより、すべてのペルチェモジュール２１が直列接続されている。このため、複数のペルチェモジュール２１のうちの少なくとも１つにおける少なくとも１つのペルチェ素子２４に断線故障が生じたときには、締付けネジ３６を緩めて圧着端子４１を端子台３１から取り外すことにより、各ペルチェモジュール２１，２１間の接続を簡単に解除することができる。したがって、配線材の切断作業等が不要となるため、テスター等を使用して各ペルチェモジュール２１の内部抵抗を測定するなどの検査を極めて簡単に行うことができ、断線故障が生じたペルチェモジュール２１の特定を迅速かつ確実に、しかも容易に行うことができる。また、断線故障が生じたペルチェモジュール２１の交換作業も極めて容易に実施することができる。さらに、ペルチェモジュール２１が断線故障した場合、その故障したペルチェモジュール２１を特定した後に、そのペルチェモジュール２１が接続されていた端子台３１における一対の接続端子（接続体３４ａ〜３４ｉの各端部）間を配線を追加して短絡することにより、応急処置として運転を短時間で再開することができる。また、端子台３１を使用して各ペルチェモジュール２１を直列接続しているため、配線材４２，４２・・同士の接続を端子台３１において集中管理することができる結果、例えばテスター等を使用した断線箇所の特定作業を極めて容易に行うことができる。
【００１７】
次に、他の実施の形態に係る熱交換器６１について、図３を参照して説明する。なお、熱交換器５１と同一の構成要素については同一の符号を付して、重複する説明を省略する。
【００１８】
図３に示すように、熱交換器６１は、複数（一例として４個）のペルチェモジュールユニット１ａ，１ｂ，１ｃ，１ｄ（熱交換器５１のペルチェモジュールユニット１と同一に構成されているため、以下、特に区別しないときには「ペルチェモジュールユニット１」ともいう）と、各ペルチェモジュールユニット１毎に設けられた４個の電源部６２と、本発明における検出回路に相当し各ペルチェモジュールユニット１毎に設けられた４個の断線検知センサ（以下、「センサ」ともいう）６３と、制御部６４と、表示部６５とを備えている。この場合、各ペルチェモジュールユニット１は、並列接続されることによって、より加熱冷却能力の高い加熱冷却部を構成する。各電源部６２は、ペルチェモジュールユニット１に供給するための直流定電流を出力する機能を有すると共に、直流定電流の出力時に停止信号ＳＴを入力した際にはこの直流定電流の出力を停止する機能を有している。各センサ６３は、各電源部６２の出力ライン間に接続されている。また、各センサ６３は、ペルチェモジュールユニット１に供給される直流電圧の電圧値を検出すると共に検出した電圧値（検出電圧）を予め設定された基準電圧と比較して、検出電圧が基準電圧を超えたときにペルチェモジュールユニット１内のペルチェ素子２４に断線故障が生じたとものとして検出信号ＳＤを出力する。制御部６４は、検出信号ＳＤの入力を常時監視すると共に、検出信号ＳＤの入力を検知したときには、検出信号ＳＤを出力したセンサ６３が接続されている電源部６２に停止信号ＳＴを出力し、かつ検出信号ＳＤを出力したセンサ６３が接続されているペルチェモジュールユニット１のユニット番号を表示部６５に表示させる。
【００１９】
このように、この熱交換器６１によれば、多数のペルチェモジュール２１を所定数のペルチェモジュール２１で構成される複数のペルチェモジュールユニット１ａ〜１ｄに分割し、分割した各ペルチェモジュールユニット１に含まれるペルチェモジュール２１，２１・・同士を直列接続して構成すると共に、このペルチェモジュールユニット１毎にペルチェ素子２４の断線故障を検出するセンサ６３を配置したことにより、いずれかのペルチェモジュールユニット１に含まれるペルチェ素子２４に断線故障が生じた際に、そのペルチェモジュールユニット１のユニット番号を表示部６５に自動的に表示させることができる。したがって、数多くのペルチェモジュール２１で構成したとしても、断線故障が生じたペルチェ素子２４を含むペルチェモジュール２１を有するペルチェモジュールユニット１を瞬時に特定することができる。また、断線故障が生じた際に、制御部６４によって電源部６２からの定電流出力が自動的に停止されるため、通電状態のペルチェモジュールユニット１に作業者が誤って触れることを未然に回避することができる。この結果、断線故障を特定する際の作業の安全性を確実に確保できると共に、ペルチェモジュールユニット１に不測の損傷を与える可能性を低減することができる。
【００２０】
なお、本発明は上記した発明の実施の形態に示した構成に限定されない。例えば、端子台３１は、ネジ締め形端子台に代えて、圧着端子４１を必要としない各種の端子台を採用することもできる。具体的には、絶縁被覆を剥ぎ取ることによって芯線を露出させる端末処理が施された配線材４２を直接挟持可能な構造のクランプ形端子台を採用することもできる。また、端子台３１を用いて各ペルチェモジュール２１を直列に接続する構成に代えて、各配線材４２の先端にコネクタを取り付けることにより、各ペルチェモジュール２１を直列に接続する構成を採用することもできる。この場合、ペルチェモジュール２１の端子部２６（２７）に接続された第１の配線材としての配線材４２の一端部に第１のコネクタを取り付け、このペルチェモジュール２１に接続される他のペルチェモジュール２１における端子部２７（２６）に接続された第２の配線材としての配線材４２の一端部に第１のコネクタと接続・接続解除が可能な第２のコネクタを取り付ける。この構成によれば、圧着端子４１を端子台３１にネジ止めする作業を不要にできるため、配線作業を簡略化できると共に、断線故障の特定作業の際にも各ペルチェモジュール２１の接続解除作業を一層迅速に行うことができる。また、一般的なコネクタでは、配線材４２の芯線に接続される金属製のピンやプラグが、絶縁樹脂で形成されたハウジング内に収納されている。このため、配線材４２を接続解除した後において、その配線材４２と、他の配線材４２、他の電子機器および電子部品との接触を未然に防止することができる結果、検査の際の安全性を向上させることができる。
【００２１】
また、熱交換器６１では、一例として断線検知センサ６３を独立して配置しているが、電源部６２内に断線検出用の検出回路を組み込む構成を採用することもできるし、またペルチェモジュールユニット１内に検出回路を組み込む構成を採用することもできる。また、電源部６２に電流停止機能を備える構成に代えて、電源部６２とペルチェモジュールユニット１との間の電源ラインにスイッチ手段（リレーや半導体スイッチング素子）を配置し、検出信号ＳＤを検知した制御部６４がこのスイッチ手段をオフ制御することにより、ペルチェモジュールユニット１への電流供給を制御する構成を採用することもできる。
【００２２】
【発明の効果】
以上のように、本発明に係るペルチェモジュールユニットおよび熱交換器によれば、ペルチェモジュール同士のうちの一方のペルチェモジュールにおける一対の端子部のうちの一方の端子部に接続された第１の配線材と、他方のペルチェモジュールにおける一対の端子部のうちの他方の端子部に接続された第２の配線材とでペルチェモジュール同士を接続する配線材を構成し、かつ第１の配線材および第２の配線材の一端部同士を、端子台の基台に取り付けられた接続体における露出した各端部にそれぞれ接続解除自在に接続したことにより、複数のペルチェモジュールのうちの少なくとも１つにおける少なくとも１つのペルチェ素子に断線故障が生じたときに、各ペルチェモジュール同士の接続を迅速かつ簡単に解除することができる。この結果、断線故障が発生したペルチェモジュールを迅速かつ容易に特定することができる。さらに、断線故障が生じたペルチェモジュールの交換作業についても、端子台を使用したことにより、迅速に行うことができる。また、ペルチェモジュールが断線故障した場合、その故障したペルチェモジュールを特定した後に、そのペルチェモジュールが接続されていた端子台における露出した各端部間を配線で短絡することにより、応急処置として運転を短時間で再開することができる。また、端子台を使用したことにより、一方のペルチェモジュールに接続された第１の配線材と、他方のペルチェモジュールに接続された第２の配線材とを確実、かつ強固に接続することができる。また、端子台を使用して各ペルチェモジュールを直列接続したことにより、配線材同士の接続を端子台において集中管理することができる結果、例えばテスター等を使用した断線箇所の特定作業を極めて容易に行うことができる。
【００２３】
また、本発明に係る熱交換器によれば、複数のペルチェモジュールを所定数のペルチェモジュールで構成される複数のペルチェモジュールユニットに分割し、各ペルチェモジュールユニット毎に検出回路を設けたことにより、数多くのペルチェモジュールで構成したとしても、断線故障が生じたペルチェ素子を含むペルチェモジュールを有するペルチェモジュールユニットを瞬時に特定することができる。
【図面の簡単な説明】
【図１】本発明の実施の形態に係る熱交換器５１の構成を示す構成図である。
【図２】ペルチェモジュールユニット１に使用された端子台３１の構成を示す平面図である。
【図３】本発明の実施の形態に係る熱交換器６１の構成を示す構成図である。
【図４】ペルチェモジュール２１の構成を示す斜視図である。
【図５】ペルチェモジュール２１の詳細な構成を示す説明図である。
【図６】従来の熱交換器７１の構成図である。
【符号の説明】
１，１ａ〜１ｄ  ペルチェモジュールユニット
２１，２１ａ〜２１ｈ  ペルチェモジュール
２２，２３  基板
２４  ペルチェ素子
２５  金属電極
２６，２７  端子部
３１  端子台
３２  取付凹部
３３  基台
３４，３４ａ〜３４ｉ  接続体
５１，６１  熱交換器
６２  電源部
６３  断線検知センサ
６４  制御部
６５  表示部
ＰＳ  電源部
【図１】
0003612507.tif 000002
【図２】
0003612507.tif 000003
【図３】
0003612507.tif 000004
【図４】
0003612507.tif 000005
【図５】
0003612507.tif 000006
【図６】
0003612507.tif 000007